(57)【要約】      （修正有）【課題】専用工具を必要とせず、下部ヒールを固定ヒールに極めて強固に固定するとともに、靴を履きながらでも当該下部ヒールを容易に交換できるヒール交換装置を提供する。【解決手段】靴底に固定した固定ヒール２と下部ヒール３とを前後方向にスライドさせて係止脱着できるスライド装置４、５と、係止させたスライド装置の前端部に側方から固定係止板６を嵌挿させることで、下部ヒール３を固定ヒール２に極めて強固に固定するとともに、交換も容易にできる。【選択図】図１
0003171764.tif 000002
【実用新案登録請求の範囲】
【請求項１】
前端に立ちあがりを有したコの字形の爪を形成し後端に係止部を設け中央部は長いコの字形の爪で構成された上部スライド装置を備えた固定ヒールと、上部スライド装置に嵌挿可能になし前端にコの字形の立ちあがりを有した１枚板とこれより幅の狭い角材とを一体的に構成した下部スライド装置を角材幅に彫り込んだ溝に固定してなる下部ヒールと、それぞれのスライド装置前端の立ち上がりを有したコの字形の爪の間に嵌挿してヒール全体を固定するための固定係止板とで構成したことを特徴とする靴のヒール交換装置
【考案の詳細な説明】
【技術分野】
【０００１】  この考案は、ヒールを交換自在に固定できる靴の、ヒール交換装置に関する。
【背景技術】
【０００２】  従来から、靴のヒールが消耗によってすり減った場合等、ヒール交換をするための構造がいくつか提案されている。
【先行技術文献】
【特許文献】
【０００３】
【特許文献１】  登録実用新案第３０２９９９７号
【特許文献２】  実開平６−６６３０７号
【考案の概要】
【考案が解決しようとする課題】
【０００４】  しかしながら、登録実用新案第３０２９９９７号、実開平６−６６３０７号共に、ヒールを靴底にネジによって固定するタイプの方式であり、ヒール交換に際してはドライバーや専用工具を必要とし、交換に要する時間もかかり、かなりの力も要するといった問題点があった。【０００５】  そこでこの考案は、専用工具を必要とせず、下部ヒールを固定ヒールに極めて強固に固定するとともに、靴を履きながらでも当該下部ヒールを容易に交換できるヒール交換装置を提供することを課題とする。
【課題を解決するための手段】
【０００６】  本考案によれば、前端に立ちあがりを有したコの字形の爪を形成し後端に係止部を設け中央部は長いコの字形の爪で構成された上部スライド装置を備えた固定ヒールと、上部スライド装置に嵌挿可能になし前端にコの字形の立ちあがりを有した１枚板とこれより幅の狹い角材とを一体的に構成した下部スライド装置を角材幅に彫り込んだ溝に固定してなる下部ヒールと、それぞれのスライド装置前端の立ち上がりを有したコの字形の爪の間に嵌挿してヒール全体を固定するための固定係止板とで構成したことを特徴とする靴のヒール交換装置を有することで課題を解決できる。
【考案の効果】
【０００７】  従って第一の効果として、すり減った下部ヒールの新品への交換がだれでもいつでも容易に行うことができる効果がある。【０００８】  第二の効果として、背の低い方の場合、衣服に合わせて、或いは場面に合わせて身長を高くした方が適当なケースがあるが、そのようなとき、いつでもどこでも簡単に下部ヒール交換を行うことができる効果がある。もちろん背が低い方でなくともヒールの高さを変えた方が適当と思われる場合、あるいは左右どちらかの足の長さに差がある場合にも、それに合わせた高さのヒール選択ができ、ヒール交換が簡単に素早くできる効果がある。【０００９】  第三の効果として、特に、たとえば社交ダンス等においてはモダン（スタンダード）とラテンに別れており、モダンシューズのヒールの高さとラテンシューズのヒールの高さは通常倍程度の違いがある。モダンの場合は静かな踊りであり、ヒールの高さも通常程度とされているが、一方ラテンの踊りは激しい踊りとなり、この特徴を発揮するのにはヒールの高さはより高いことが望まれる。しかし多くのダンサーはその両方を楽しんでおり、従って、ダンサーは２足を常に携帯しているのが現状である。そこで本考案のヒール交換装置を備えた靴にすれば、ヒールの高さの異なる２種類の下部ヒールのみを用意しておけば、靴は１足のみで済み、いつでもどこでも簡単に瞬時に、しかも靴を履いたままヒール交換ができ、モダンからラテンへ、或いはラテンからモダンへと、わずかな休憩時間においても瞬時に交換作業ができ、時間を気にすることなく使用可能となるのである。【００１０】  第４の効果として、特にダンスシーンではヒールターンなど、通常の歩行にはない、靴にとっては厳しい動きと負荷がヒール全体に掛かるが、本考案にては固定ヒールと下部ヒールとの接合部は前後左右に強力な固定力を有しており、ヒールが靴に対してずれたりせず、破損しづらいといった効果がある。【００１１】  このように、ヒール交換においては、ネジを回したり閉めたりなどの力を要する作業は不要であり、しかもドライバーなどの道具も不要であり、更には靴を履いたまま、いつでもどこでも素早くヒール交換をすることができるものである。
【図面の簡単な説明】
【００１２】
【図１】本考案の第１実施例のヒール交換装置の組み合わせを示す参考図。向かって左側が靴前方を、右側が靴後方を示す。
【図２】本考案の第１実施例のヒール交換装置が固定状態の略中央部横断面図ＡＡ’を示す。
【図３】本考案の第１実施例のヒール交換装置が分離状態の略中央部横断面図ＡＡ’を示す。
【図４】本考案の第１実施例のヒール交換装置が固定状態の略中央部縦断面図ＢＢ’を示す。
【図５】本考案のヒール交換装置の別の実施例を示す参考図
【考案を実施するための形態】
【００１３】  靴底に固定した固定ヒールに設けた上部スライド装置に合わせて、下部ヒールに設けた下部スライド装置を後方に係止するまでスライドさせて挿入し、最後に上部スライド装置と下部スライド装置のそれぞれ前端部に備えた爪に合わせて側方から固定係止板を差し込むことで、下部ヒールを固定ヒールに極めて強固に固定する。
【実施例】
【００１４】  以下、図面に従って本考案第１実施例を説明する。図１は本考案の第１実施例のヒール交換装置の組み合わせを示す参考図であり、靴本体１には堅い木製、または硬質なゴム製、或いは樹脂製の固定ヒール２が結合されており、固定ヒール２の下面には、後端面２ｂを有する溝２ａが刻まれている。４は上部スライド装置であり、一端に立ち上がり面を有した爪４ｃを形成し、他方端に係止部４ｂを形成し、中間部分は爪４ａを一対に構成した金属部材で成形されたものである。５は下部スライド装置であり、一端に立ち上がり面を有したコの字形の爪５ｃを形成し中央部は長い１枚の板部５ａと、板部５ａの幅より狭く板部５ａと強固に固着している角材５ｅとで構成しており、どちらも金属製である。３は堅い木製、または硬質なゴム製、或いは樹脂製の下部ヒールであり、その上面中央部分に下部スライド装置５の角材５ｅをぴたりと嵌入させる溝３ａが刻まれている。【００１５】  上部スライド装置４は固定ヒール２の溝２ａに隙間なく嵌り、ビス等にて固定する。（図３も参照）。下部スライド装置５は下部ヒール３に設けた溝３ａに隙間なく嵌り、ビス等にて固定する。（図３も参照）。６は固定係止板であり、上部スライド装置４の爪４ｃと下部スライド装置５の爪５ｃとの間に引掛６ａが当接するまで嵌挿してヒール全体を固定するような金属部材で構成している。【００１６】  下部ヒール３を固定ヒール２に結合させるには、下部スライド装置の板部５ａを上部スライド装置４の爪４ａに嵌入させて止まるまでスライドさせる。（図２も参照）。この状態で上部スライド装置４の前端部に設けた爪４ｃと下部スライド装置５の前端部に設けた爪５ｃとの間に、一方に引掛６ａを設けた固定係止板６を嵌装させて、下部ヒール３の取り付けは終了する。（図４も参照）【００１７】  図５は、本考案の第２実施例を示すが、固定ヒール２には上部スライド装置として逆ハの字状の溝２ｈを形成し、下部ヒール３には下部スライド装置として逆ハの字状の溝２ｈに合致摺動するような逆ハの字状の突起３ｈを設けたものである。ヒールの材質が堅牢なものであればこれらのスライド装置は直接ヒールに加工・形成しても良く、もちろん、強度的に強固な金属性部材を別部材としてそれぞれのヒールに取り付けて構成しても良い。
【符号の説明】
【００１８】１    靴本体
２    固定ヒール
２ａ  溝
２ｂ  溝後端面
３    下部ヒール
３ａ  溝
４    上部スライド装置
４ａ  スライド爪
４ｂ  係止部
４ｃ  爪
５    下部スライド装置
５ａ  板部
５ｃ  爪
５ｅ  角材
６    固定係止板
６ａ  引掛
【図１】
0003171764.tif 000003
【図２】
0003171764.tif 000004
【図３】
0003171764.tif 000005
【図４】
0003171764.tif 000006
【図５】
0003171764.tif 000007